(57)【要約】【課題】環境保全に優れ、しかも組立が簡便でローコストで作る。【解決手段】フイルムパック１０は、露光開口１７を塞ぐフイルムカバー１２，複数のフイルムユニット１３、及び押上開口２１，２２を塞ぐフイルムユニット押圧板１４とをケース１１に収納している。フイルムカバー１２及びフイルムユニット押圧板１４とは遮光性を有する色の紙製シートを加工して作られている。ケース１１は、１枚の紙製シートを上壁及び両側壁で差込結合するフラップを設けた展開シートに切り取り、その切り取った１枚の展開シートを折り曲げて作られている。【選択図】        図１
2004157319.tif 000002
【特許請求の範囲】
【請求項１】
複数枚のインスタントフイルムユニットを重ねて収納するとともに、前記フイルムユニットの露光面に対向する前壁に設けられ、最前列のインスタントフイルムユニットの露光面を露呈させる露光開口と、前記前壁に対して垂直に繋がる上壁に設けられ、カメラに設けたクロー部材の掻き出しにより送られる最前列のインスタントフイルムユニットを外部に排出するための排出口と、前記前壁に対向する背壁に設けられ、カメラに設けた押上部材が入り込む押上用開口とを設けたケースを有するインスタントフイルムパックにおいて、
前記前壁、上壁に対向する底壁、及び背壁とを折り目により連設するとともに、少なくとも前記前壁及び背壁に複数のフラップを連設し、前記複数のフラップを前記ケースの上面及び両側面でそれぞれ差し込み嵌合することで前記上壁及び両側壁を形成することができる展開形状に遮光性を有する色の紙製シートを切り取って前記ケースを組み立てるようにしたことを特徴とするインスタントフイルムパック。
【請求項２】
前記複数のフラップのうちの前記上壁となる第１上壁フラップを前記背壁に連設し、前記第１上壁フラップの端辺に凹部を設け、その凹部と前記前壁の上辺との間の隙間で前記排出口を形成するとともに、前記第１上壁フラップの一部にオーバーラップする第２上壁フラップを前記前壁の上辺に連設し、前記第２上壁フラップを、一部が前記第１上壁フラップの一部の外に重なり合うように前記排出口を覆う折り曲げ位置から前記排出口を開放する開放位置に折り曲げ自在に設けたことを特徴とする請求項１記載のインスタントフイルムパック。
【請求項３】
前記複数のフラップのうちの前記側壁となる一対の側壁フラップを前記前壁及び背壁との対向する辺にそれぞれ連設し、各側面で嵌合する一対の側壁フラップの端辺をそれぞれ凹辺と凸辺とに形成してこれら前記凸辺と凹辺とを差込嵌合して前記ケースの両側壁を形成するようにしたことを特徴とする請求項１及び２記載のインスタントフイルムパック。
【請求項４】
最後列のフイルムユニットの後に重ねて前記ケースに収納するフイルムユニット押圧部材を設け、前記フイルムユニット押圧部材を、前記押上開口を塞ぐシート本体と、前記シート本体の対向する辺にそれぞれ連設され前記ケースの両側壁の内側に重なる一対の内側壁フラップとを有する展開形状に１枚の紙製シートを切り取って作るとともに、前記押上部材の押上により折り曲げられる押圧片を前記シート本体の一部に切り込みを入れて一体に作ったことを特徴とする請求項１ないし３いずれか記載のインスタントフイルムパック。
【発明の詳細な説明】
【０００１】
【発明の属する技術分野】
本発明は、自己現像処理型のインスタントフイルムユニットを収納するケースを有するインスタントフイルムパックに関するものである。
【０００２】
【従来の技術】
インスタントカメラを用いることで撮ったその場で写真ができて直ぐに楽しめるなどのメリットがあるインスタントフイルムユニット（フイルムユニット）が知られている。フイルムユニットには、撮影・現像後引き剥がして使うピールアパートタイプフィルムと、何もしなくてもよいモノシートフィルムとの２種類がある。これらフイルムユニットは、複数枚ひとまとめにしてプラスチック製のケースに収納した形態で提供されており、そのケースをインスタントフイルムパック（フイルムパック）と称している。
【０００３】
最近、資源採取から製造・物流・使用・廃棄リサイクルまでの、全ライフサイクルを通じた製品の環境データをＬＣＡ  （ライフサイクルアセスメント）  の手  法で求め、製品の定量的な環境情報を多面的に開示する環境ラベル「エコリーフ（ＥＣＯ・ＬＥＡＦ）  」を表示する運用が始まっている。エコリーフ環境ラベルの表示は、環境調和型製品に取り組む企業等が積極的に実施することで、ユーザの製品選択、使用における環境配慮を促す。このような運用を考慮すると、製品が廃棄処分されたときに環境に及ぼす影響の内容と程度および環境保全対策について事前に予測と評価を行い、保全上必要な措置の検討が求められる。
【０００４】
上述したフイルムパックは、使用後に回収してリサイクルを行ように指示しているが、フイルムユニットのみ写真として残され、フイルムユニットを使いきって空となるケースはそのまま廃棄されているようで回収率が低い。廃棄処分による環境、特に土壌への影響を考えると、従来のケースが主にプラスチック材料で形成されているため、悪影響を及ぼしかねないことが分かり、環境保全対策が必要となっていた。
【０００５】
特許文献１や特許文献２には、環境保全にも優れた紙材料を用いて作ったフイルムパックが提案されている。これらフイルムパックは、ケース、前フイルムカバー、複数枚のフイルムユニット、及び後フイルムカバー（フイルムユニット押圧部材）とで構成されている。ケースは、紙製の２部品で構成されており、その構成は、１枚の紙製シートの四隅を折り込んで背面が開放面となるようにトレイ状に形成したケース本体と、そのケース本体の開放面を塞ぐ紙製の底板とからなる。
【０００６】
ケース本体には、前壁にフイルムユニットに露光を与える露光開口が、また、上壁にフイルムユニットを排出するための排出口がそれぞれ形成されており、さらに開放面の外周には、底板を接着するためのフランジが形成されている。底板には、カメラの押上部材が入り込む２つの開口が形成されている。前フイルムカバーは、フイルムユニットの最前列の前に重ねられることによって露光開口を塞ぎ、また底板の開口はフイルムユニット最後列の後に重ねられる後フイルムカバーによって塞がれる。
【０００７】
ケース本体の排出口は、上壁のうちの前壁に繋がる稜部寄りに、幅方向に長いスリットによって形成されている。このため、露光開口を設けた前壁と排出口を持つ上壁との稜部は剛性が低下する。そこで、その稜部を補強するためにフラップシートを貼り付けている。フラップシートは、Ｌ字状に折り曲げられており、Ｌ字を構成する一辺が前壁に貼り付けられ、他辺で排出口を覆っている。
【０００８】
【特許文献１】
特開２００２−２８７２３７号公報
【特許文献２】
特開２００２−２８７３０５号公報
【０００９】
【発明が解決しようとする課題】
しかしながら、前述した特許文献に記載のフイルムパックは、紙製のケースがケース本体と底板との２部品構成となっており、しかも、排出口を塞ぐためのフラップシートも必要となるため部品コストが高くつく。また、ケースの組立の面でもケース本体と底板とを接着する作業が手間となり、組立効率が悪いという欠点がある。
【００１０】
本発明は、上記問題点を解決するためのもので、環境保全にも優れた材料で簡便に作れるインスタントフイルムパックをローコストで提供することを目的とする。
【００１１】
【課題を解決するための手段】
上記問題点を解決するために、本発明のフイルムパックは、フイルムユニットを収納するケースを、遮光性を有する色の紙製シートを所定の展開形状に切り取り、上面及び両側面で差込嵌合して上壁及び両側壁を作るようにしたものである。この場合、テープや接着剤などで接合する継ぎしろなしのワンピース形式の展開形状で作るのが簡便かつローコストであるため望ましい。上壁及び両側壁の差込結合としては、前壁及び背壁に複数のフラップを連設してこれらフラップを差込嵌合する構造が好適である。
【００１２】
ケースに設けた排出口は、カメラに装填するまで塞ぐ必要があり、またカメラに装填後に開放される必要がある。そこで、上壁を構成する第１上壁フラップを背壁に連設し、その第１上壁フラップの端辺に凹部を設け、その凹部と前記前壁の上辺との間の隙間で前記排出口を形成する。そして、第１上壁フラップの一部にオーバーラップする第２上壁フラップを前壁に連設し、第１上壁フラップの一部の外に重なるように折り曲げることで前記排出口を覆う通常位置から前記排出口を開放する起立位置に第２上壁フラップが簡単に開くように構成するのが望ましい。
【００１３】
また、ケースの両側面での差込嵌合は、前壁及び背壁にそれぞれ連設した一対の側壁フラップの端辺をそれぞれ凹辺と凸辺とに形成し、各側面で凸辺を凹辺に係合させる構成にするのが遮光性が向上ししかも結合力も強くなるから望ましい。
【００１４】
前記ケースの両側壁は、一対の側壁フラップの差込嵌合により作られているが、隙間が生じるおそれがあるため、その隙間を塞ぐためにケースの側面を二重構造にする必要がある。そこで、その作用をフイルムユニット押圧部材に備えるのが好適である。このフイルムユニット押圧部材は、押上開口を塞ぐ作用と、カメラの押上部材が前記押上開口から入り込んだときに最後列のフイルムユニットを前記露光開口に向けて押す作用とを持っている。そして、これら作用を有する展開形状に１枚の紙製シートを切り取って作るようにすると簡便である。
【００１５】
例えば、押上開口を塞ぐシート本体の対向する辺に一対の内側壁フラップを折り目により連設し、一対の内側壁フラップをシート本体に対して折り曲げることで前記ケースの両側面の隙間を内側から遮蔽する。また、シート本体の一部に切り込みを入れてカメラの押上部材で押されることで最後列のフイルムユニットを露光開口に向けて押す方向に折り曲げられる押圧片を設ける。このような構成にすることでフイルムユニット押圧部材を１枚の紙製シートを切り取って簡単に作ることができる。
【００１６】
【発明の実施の形態】
本発明のフイルムパックの構造を示す図１において、フイルムパック１０は、ケース１１、フイルムカバー１２、複数枚のフイルムユニット１３、及びフイルムユニット押圧板１４とから構成されており、フイルムユニット１３以外のケース１１、フイルムカバー１２、及びフイルムユニット押圧板１４が紙製の材料で作られている。
【００１７】
ケース１１は、１枚の紙製のシートを所定の展開形状に切り取り、切り取った１枚の展開シートを折り曲げて組み立てるワンピース形式の折畳容器となっており、内部にフイルムカバー１２、複数枚のフイルムユニット１３、及びフイルムユニット押圧板１４を収納するフイルム収納部１１ａをもつ。フイルム収納部１１ａは、フイルムカバーの前面が当接する前壁、フイルムカバー１２、複数枚のフイルムユニット１３、及びフイルムユニット押圧板１４の底を支持する底壁、フイルムユニット押圧板１４の後面が当接する背壁、前壁に直交して繋がる上壁、及び両側壁とからなる略六面体となっている。
【００１８】
前壁には、フイルムユニット１３へ露光させるための露光開口１７が形成されている。露光開口１７には、カメラに設けた周知のクロー部材が入り込む切欠き穴１８が設けられている。また、上壁には、フイルムカバー１２やフイルムユニット１３を排出するためのスリット状の排出口２０（図４参照）が形成されている。
【００１９】
背壁には、一対の押上開口２１，２２が形成されている。押上開口２１，２２は、横長矩形となっており、背壁の上下に所定間隔離してそれぞれ設けられている。これら開口２１，２２には、フイルムパック１０がカメラに装填されたときにカメラに設けた押上部材が入り込むときの入口となる。
【００２０】
フイルムユニット１３は、厚みの薄い縦長矩形のシート状となっており、長手方向（排出方向）の上から現像液ポッド１３ａ、露光部１３ｂ、及びトラップ部１３ｃとが順に設けられた自己現像処理型のフイルムである。露光部１３ｂは、カバーシート、露光面となる感光層、白色の拡散反射層、及びバック面となる受像層とから構成されている。現像液ポッド１３ａは、現像処理液が封入されている。感光層とカバーシートとの間に現像処理液が展開されると、感光層に記録された潜像が拡散反射層を通してポジ像として受像層に転写される。受像層に転写された像は、露光部１３ｂとは反対側の面からポジ像として観察される。トラップ部１３ｃは、現像液ポッド１３ａから感光層とカバーシートとの間に展開して余った現像処理液を捕捉して硬化させる。露光部１３ｂの厚みは、現像液ポッド１３ａ及びトラップ部１３ｃよりも薄くなっている。このフイルムユニット１３は、最後まで１枚のシートとして取り扱うことができるモノシートタイプとなっている。
【００２１】
フイルムカバー１２は、縦長矩形状のシートで作られている。シートは、繊維を黒色で染めた遮光性を有する紙製の材料となっており、フイルムユニット１３の最大厚みよりも薄い厚みとなっている。フイルムカバー１２は、最も前に重ねた（最前列の）フイルムユニット１３の前に重ねてケース１１に収納されることで露光開口１７を塞ぐとともに、カメラへの装填後にカメラに設けたクロー部材の掻き出し動作によって排出口２０から排出される。
【００２２】
フイルムカバー１２の裏面には、排出口２０に対面する先端部に、遮光性を有する材料で形成した軟性の先端遮光フラップ１２ａが取り付けられている。この先端遮光フラップ１２ａは、背壁の方向にＬ字状に折り曲がっており、折り曲がった部分で排出口２０の一部を中から塞ぐことで遮光を確実にすると共に落下等の衝撃によってフイルムカバー１２やフイルムユニット１３が排出口２０から飛び出してしまうのを防止する。また、フイルムカバー１２の後端部裏面には、クロー部材が入り込む切欠き穴１８をケース１１の中から塞ぐためのスカート１２ｂが取り付けられている。このスカート１２ｂも遮光性を有する軟性の材料で形成されている。なお、先端遮光フラップ１２ａやスカート１２ｂも紙製材料で作り接着して取り付けるのが望ましい。
【００２３】
フイルムユニット押圧板１４は、１枚の紙製のシートを所定の展開形状に切り取り、切り取った展開シートを折り曲げて作られている。シートは、繊維を黒色で染めた遮光性を有する色の材料となっている。
【００２４】
図２に示すように、ケース１１の展開シート３０は、前壁３１、底壁３２、及び背壁３３が折り目３５，３６により連設されている。前壁３１には、上辺に第２上壁フラップ３７が、また左右辺には側壁前フラップ３８，３９がそれぞれ折り目４０〜４２により連設されている。なお、展開シート３０としては、熱可塑性樹脂、あるいは熱可塑性樹脂にセルロースを混合した紙樹脂などの材料が好適である。また、遮光性を有する色の材料で形成するのが望ましい。
【００２５】
背壁３３には、下辺に第１上壁フラップ４３が、また左右辺には側壁後フラップ４４，４５がそれぞれ折り目４６〜４８により連設されている。第２上壁フラップ３７の左右辺には、ケース１１の側面に差し込まれる差込フラップ４９，５０が折れ目５１，５２により連設されている。底壁３２には、ケース１１の側面に差し込まれる差込フラップ５３，５４が折れ目５５，５６により連設されている。第１上壁フラップ４３の左右辺には、ケース１１の側面に差し込まれる差込フラップ５７，５８が折れ目５９，６０により連設されている。
【００２６】
前壁３１には、露光開口１７が、また露光開口１７の下縁左寄りの位置から底壁３２の一部にかけて切欠き穴１８が、さらに背壁３３には一対の押上用開口２１，２２がそれぞれ形成されている。これら開口１７，２１，２２及び切欠き穴１８は、展開シート３０の輪郭と同時に打ち抜きするのが好適である。
【００２７】
ケース１１の各側面では、前壁３１に設けた側壁前フラップ３８，３９と背壁に設けた側壁後フラップ４４，４５とを前後方から差込嵌合して側壁が作られる。側壁前フラップ３８，３９の端辺は中央を凸にした凸辺３８ａ，３９ａに形成され、また側壁後フラップ４４，４５の端辺は中央を凹にした凹辺４４ａ，４５ａに形成されている。
【００２８】
組み立てるときには、ケース１１の側面下方において、図３に示すように、凹辺４５ａをもつ側壁後フラップ４５の外に底壁３２の差込フラップ５４が、その差込フラップ５４の外に凸辺を３９ａもつ側壁前フラップ３９がそれぞれ重なるように背壁３３を前壁３１に向けて折り曲げ、最後に凸辺３９ａを凹辺４５ａに差し込む。このように側面で凹凸を差し込む構造にしたからケース１１の組み立てが簡便かつ精度良く行え、また、接着剤などを使うことなく結合力を強くすることができる。
【００２９】
第１上壁フラップ４３は、左右辺に設けた差込フラップ５７，５８を折れ目５５，５６から折り曲げて側壁後フラップ４４，４５の内に差し込む結合により上壁となる。第１上壁フラップ４３の端辺には凹状に凹んだ凹部６１が設けられている。その凹部６１は、図４に示すように、前壁３１の上辺３１ａとの間の隙間で排出口２０を形成する。
【００３０】
第２上壁フラップ３７は、左右辺に設けた差込フラップ４９，５０を折れ目５１，５２から折り曲げて側壁後フラップ４４，４５の内に挿脱自在に差し込むことで、図５に示すように、第２上壁フラップ３７の一部が第１上壁フラップ４３の一部の上にオーバーラップして排出口２０を塞ぐ。この第２上壁フラップ３７は、カメラに設けたクロー部材の掻き出し動作により送り出されるフイルムカバー１２の先端で押されて差込フラップ４９，５０が抜けることで排出口２０を開放する起立位置に開放される。
【００３１】
フイルムユニット押圧板１４の展開シート６９は、図６に示すように、シート本体７０と、そのシート本体７０の左右辺に折り目７１，７２により連設した一対の内側壁フラップ７３，７４とから構成した横長矩形の展開形状となっているこの展開シート６９は、フイルム収納部と同じ高さで、かつシート本体７０の横長さがフイルム収納部と同じ長さとなっている。シート本体７０は、フイルムユニット押圧板１４を最後列のフイルムユニット１３の後に重ねてケース１１に収納したときに、一対の押上開口２１，２２を塞ぐ（図５参照）。
【００３２】
左右の内側壁フラップ７３，７４は、フイルム収納部の奥行きと同じ長さとなっており、折れ目７１，７２から前壁３１に向けて折り曲げられ、図７に示すように、ケース１１の両側面を内側から遮蔽する。これにより、ケース１１の側面が二重に重ねられ、側面での凹凸嵌合により生じる隙間を確実に塞ぐことができる。
【００３３】
シート本体７０には、上下に一対ずつ計４つの切り込み７５〜７８が形成されている。上の一対の切り込み７５，７６のうちの左の切り込み７５はＬ字状となっており、また右の切り込み７６は、左の切り込み７５に対して左右対称に配した姿勢で形成されている。下の一対の切り込み７７，７８は、上の一対の切り込み７５，７６を上下対称に配した姿勢で設けられている。
【００３４】
上の一対の切り込み７５，７６で仮想的に囲まれた範囲は、図８に示すように、上の押上開口２１から入り込むカメラの押上部材９０の押圧によりフイルムユニット１３を露光開口１７に向けて押す方向に折り曲がる上押圧片７９となる。また、下の一対の切り込み７７，７８で囲まれた範囲は、下の押上開口２２から入り込むカメラの押上部材９１の押圧によりフイルムユニット１３を露光開口１７に向けて押す方向に折り曲がる下押圧片８０となる。これら切り込み７５〜７８は、展開シート６９と同時に打ち抜き加工するのが好適である。
【００３５】
次に上記構成の作用を説明する。未使用状態のフイルムパック１０は、露光開口１７がフイルムカバー１２で塞がれ、また、排出口２０が第２上壁フラップ３７で塞がれ、さらに押上開口２１，２２がフイルムユニット押圧板１４の押圧片７９，８０で塞がれ、さらにまた、切欠き穴１８がスカート１２ｂで塞がれており、よって内部が完全に遮光された状態となっている。
【００３６】
カメラに設けた裏蓋を開閉してフイルムパック１０をカメラのフイルム装填室に装填して裏蓋を閉めると、押上開口２１，２２から裏蓋に設けた押上部材９０，９１が入り込む。フイルムユニット押圧板１４は、押上部材９０，９１の押上により上下押圧片７９，８０が露光開口１７に向けて折れ曲がる。折れ曲がった上下押圧片７９，８０は、最後列のフイルムユニット１３のうちの露光部１３ｂよりも厚みの厚い現像液ポッド１３ａ及びトラップ部１３ｃを露光開口１７に向けて押す。これにより、最前列のフイルムニット１３の露光部１３ｂの平面性及び露光開口１７に対しての密着性が高められる。
【００３７】
フイルムパック１０をカメラのフイルム装填室に装填した後、撮影準備のためにシャッタレリーズを行うと、カメラに設けたクロー部材９３が下方から上方に向けた掻き出し方向に移動し、その移動中に切欠き穴１８に入り込み、クロー部材９３に設けたフック部９３ａでフイルムカバー１２の下端を引っかけてそのままフイルムカバー１２を排出口２０に向けて送り出す。そして、フイルムカバー１２が排出口２０を出るときにその先端で第２上壁フラップ３７を押し上げる。これにより第２上壁フラップ３７がカメラの内部で開放位置に開かれる。
【００３８】
排出口２０を出たフイルムカバー１２は展開ローラ対（図示なし）でニップされ、その回転でカメラに設けたフイルム取出口（図示なし）から外部に排出される。これにより、次のフイルムユニット１３が露光開口１７にセットされて撮影の準備が完了する。なお、クロー部材９３の掻き出し動作は、フイルムカバー１２を展開ローラ対がニップした後に終了し、元の位置に戻る。
【００３９】
フイルムカバー１２の排出後には、露光開口１７に最前列のフイルムユニット１３がセットされている。その後は、ファインダで撮影範囲を確認してシャッタボタンを押下する毎に、カメラのシャッタユニットが作動してフイルムユニット１３の露光部１３ｂに露光が行われる。露光完了後、前述したと同様にクロー部材９３の掻き出し動作が行われ、掻き出されたフイルムユニット１３が排出口２０を通って展開ローラ対に送られる。
【００４０】
展開ローラ対は、フイルムユニット１３を送りながら現像液ポッド１３ａを裂開し、この現像液ポッド１３ａから流れ出た現像液を感光層とカバーシートとの間に展開する。展開ローラ対で現像液が展開されたフイルムユニット１３は、フイルム取出口から排出され、一定時間後にポジ像形成面にポジ画像が形成される。余剰現像処理液はトラップ部１３ｃに捕捉されて硬化する。
【００４１】
以上のようにして撮影を続けると、ケース１１に収納されているフイルムユニット１３の残り枚数が少なくなる。このとき、カメラの押上部材９０，９１がバネ（図示なし）の付勢により排出したフイルムユニット１３の厚み分だけ突出して上下押圧片７９，８０を押し込む。これにより、最後のフイルムユニット１３までを均一に押し上げることができ、露光開口１７にセットされるフイルムユニット１３に常に適正な平面性を付与することができる。
【００４２】
【実施例】
フイルムユニット１３は、外形寸法が横３６×縦４１．５ｍｍ、また、露光面のサイズが縦２２．５×横３０ｍｍ（縦横比３：４）となっている。ケース１１の寸法は、縦４４×横３８×厚み１６ｍｍとなっている。露光開口１７のサイズは、露光面のサイズよりも僅かに大きい縦２４．６×横３２ｍｍとなっている。
【００４３】
上記のような寸法のケース１１及びフイルムユニット１３を用いる場合、フイルムカバー１２としては、弾性、剛度、遮光性等を考慮して厚みを０．２〜０．７ｍｍ（坪量１００〜５００ｇ／ｍ２  ）、好ましくは０．３〜０．５ｍｍ（坪量３００〜４００ｇ／ｍ２  ）とするのが望ましい。
【００４４】
フイルムユニット押圧板１４としては、弾性、剛性、遮光性等を考慮して厚みを０．２〜０．７ｍｍ（坪量１００〜５００ｇ／ｍ２  ）、好ましくは０．３〜０．５ｍｍ（坪量３００〜４００ｇ／ｍ２  ）とするのが望ましい。
【００４５】
また、ケース１１、フイルムカバー１２、及びフイルムユニット押圧板１４の材料としては、紙に樹脂コーティングを施して弾性を有するようにしてもよいし、樹脂含浸紙（含浸紙）を用いて形成してもよい。他の材料としては、ＰＰ貼り（ポリプロピレンフィルム貼合紙）油紙・ワックス（蝋）塗布紙などを用いることもできる。
【００４６】
なお、上記実施形態では、ケース１１を１枚の展開シートで作っているが、補強をするために一部に補強シートの貼り付け又は接着を施してもよい。さらに上記実施形態では、露光部１３ｂとポジ像形成面とが異なる透過型のフイルムユニットを例に説明しているが、露光部１３ｂとポジ像形成面とが同一面とされた反射型フイルムユニットを収納するフイルムパックにも適用することができる。また、フイルムパックを使用するプリンタ等にも利用することができる。
【００４７】
【発明の効果】
以上説明したように、本発明のインスタントフイルムパックは、フイルムユニットを収納するケースを、１枚のみの紙製展開シートを折り曲げて作るようにしたから簡便であり、しかもローコストであり、また廃棄処分しても環境に安全である。
【００４８】
また、別の発明では、背壁に設けた第１上壁フラップを折り目から折り曲げて上壁を作るように構成し、その第１上壁の端辺に凹部を設け、その凹部と前壁の上辺との間の隙間で排出口を作り、前壁の上辺に折り目により連設した第２上壁フラップを一部が重なるように第１上壁フラップの上に折り重ねて排出口を塞ぐように構成し、しかも第２上壁フラップをその折り曲げ位置と排出口を開放する開放位置との間で折り曲げ自在に構成にしたから、パックをカメラに装填する前の排出口の遮蔽とカメラに装填後の排出口の開放との構造を別の部品を用いることなくローコストで行える。
【００４９】
さらに、前壁及び背壁とから側面に折り曲げられる一対の側壁フラップの端辺を凹辺と凸辺とに形成し、これら凸辺と凹辺とを差込嵌合してケースの両側壁を形成するようにしたから、簡便でしかも遮光性の高い結合が得られる。
【００５０】
さらにまた、その側壁を内側から遮光する内側壁フラップをフイルムユニット押圧部材に設けたから、ワンピースで組み立てケースでの結合面における遮光を確実にすることができる。
【図面の簡単な説明】
【図１】本発明のフイルムパックの構成を示す分解斜視図である。
【図２】ケースを作る展開シートを示す展開図である。
【図３】展開シートを作るときの右側面の要部を示す斜視図である。
【図４】ケースの斜視図であり、上面を拡大して示している。
【図５】ケースを示す縦断面である。
【図６】フイルムユニット押圧板を作る展開シートを示す展開図である。
【図７】ケースを示す横断面図である。
【図８】フイルムパックを示す縦断面であり、カメラに装填した状態を示している。
【符号の説明】
１０  フイルムパック
１１  ケース
１２  フイルムカバー
１３  フイルムユニット
１４  フイルムユニット押圧板
１７  露光開口
２１，２２  押上開口
３０  ケースの展開シート
３７  第２上壁フラップ
３８，３９  側壁前フラップ
３８ａ，３９ａ  凸辺
４３  第１上壁フラップ
４４，４５  側壁後フラップ
４４ａ，４５ａ  凹辺
【図１】
2004157319.tif 000003
【図２】
2004157319.tif 000004
【図３】
2004157319.tif 000005
【図４】
2004157319.tif 000006
【図５】
2004157319.tif 000007
【図６】
2004157319.tif 000008
【図７】
2004157319.tif 000009
【図８】
2004157319.tif 000010